(57)【特許請求の範囲】
【請求項１】
差込構造を有する開口部蓋と、穴明き部を有する一方の開口部内フラップと、前記穴明き部に差し込む突出部を有する他方の開口部内フラップとを具備し、前記突出部は前記穴明き部に差し込まれた後に、前記開口部内フラップの方向に折り返される包装箱。
【発明の詳細な説明】
【０００１】
【発明の属する技術分野】
本発明は、包装箱に関し、特に、噛み合わせ構造により強度を高めた包装箱に関する。
【０００２】
【従来の技術】
衝撃によって破壊、変形しやすい被包装物は、輸送中や荷物の積み降ろし作業中に破損するおそれがある。衝撃によって破壊、変形しやすい被包装物は、段ボール紙等でできた包装箱の内部に緩衝材を充填して被包装物を保護している。
【０００３】
典型的な包装箱には、例えば、底面と、この底面の各辺に連設されて対向する２組の側面と、これら各側面に連設されて被包装体の上部に折り曲げられる２組のフラップとからなっているものがある。また、底面と、この底面の各辺に連設されて対向する２組の側面と、側面の１つに連設され、被包装物の上部に被せられる上面と、この上面の先端部に連設されてもう１つの側面と被包装体間に押し込まれるフラップとからなっているものもある。
【０００４】
このような包装箱の従来例としては、例えば、実開平2-52719号公報に開示されている包装箱がある。これは、底組が完成した包装箱の底面に、２つの外フラップによる略Ｚ字状の合わせ線を形成されるように構成したボトムロック型のものである。落下等の過大な力が加わっても、外フラップの貼り付け部に沿って設けた罫線付近を破損しないようになっている。
【０００５】
しかしながら、上述のように構成された包装箱は、側面を起こして箱状にするには、四隅で側面同士を繋ぐ接着材が必要であったり、折り曲げたフラップをテープ止めしなくてはならないなど、補助材が必要で、且つ、手間がかかるためコスト高になっていた。そのため、接着材やテープ等の補助材を使わずに包装できる包装箱が提案されている。
【０００６】
例えば、実開平7-33817号公報に開示されている、テープ等の補助材を使わずに包装する包装箱がある。この包装箱は、四角形の底面と、この底面の各辺に連設されて対向する２組の側面と、これら各側面に連設されて被包装体の上部に折り曲げられるフラップと、被包装体の四隅を保護する保護面とからなる。包装時に先に折り曲げるフラップには、被包装体の上面中央部で係合させるための係止片を設ける。また、フラップには、被包装体の上部に折り曲げたときフラップ間に挿入する挿入片を設ける。四隅の保護面はそれぞれ側面を起こす際に被包装体の側面側に折り込むようになっている。
【０００７】
また、特開平7-309331号公報に開示されている包装箱は、緩衝性を有し、別途緩衝材を用いる必要がない包装箱である。この包装箱では、１枚の段ボール紙によつて、底板と、この底板の左右に折り目線を介して側板と、蓋板と、側部フラップを、この順序で連設する。さらに、底板の前後に折り目線を介して、端板と、端部フラップを連設する。側部フラップ側に第１の差し込み孔を設け、他方の側部フラップ側に、第１の差込み孔に差し込まれる第１の差し込み片を設ける。端板と端部フラップとの連設部に第２の差し込み孔を設ける。蓋板の端部に、第２の差し込み孔に差し込まれる第２の差し込み片を設ける。さらに、側部フラップを箱主体の内部に突出させたものである。
【０００８】
従来の包装箱の具体例を、図３に示す。図３において、包装箱１は、折り返しフラップ３を有し、開口部には突出部２と差込スリット３を有している。組み立ての際、折り返しフラップ３は、包装箱内側へ折り返された後、開口部の突出部２は、差込スリット３へ挿入される。このように、従来の包装箱においても、噛み合わせ構造を形成して、強度を高めていた。
【０００９】
【発明が解決しようとする課題】
しかしながら、上記従来の包装箱では、落下等により収納物が包装箱内部で移動し、包装箱内部から外部への衝撃が加わった際、包装箱陵辺へ負荷が掛り、陵辺破損が発生するという問題があった。
【００１０】
本発明は、このような従来の問題を解決するものであり、包装箱へ衝撃が加わった際の変形を最小限とし、衝撃による破損を防止する優れた包装箱を提供することを目的とする。
【００１１】
【課題を解決するための手段】
上記目的を達成するために、本発明では、包装箱を、差込構造を有する開口部蓋と、穴明き部を有する一方の開口部内フラップと、穴明き部に差し込む突出部を有する他方の開口部内フラップとを具備する構成とした。このように構成したことにより、折り返しフラップの噛み合わせ構造で衝撃を吸収して変形を最小限とし、破損を防止できる。
【００１２】
また、包装箱を、差込構造を有する開口部蓋と、蓋罫線側にスリット状切り欠きを施した一方の開口部内フラップと、スリット状切り欠きに差し込んで噛み合わせ構造をなすスリット状切り欠きを蓋端部側に施した他方の開口部内フラップとを具備する構成とした。このように構成したことにより、スリット状切り欠きの噛み合わせ構造で衝撃を吸収して変形を最小限とし、破損を防止できる。
【００１３】
【発明の実施の形態】
本発明の請求項１記載の発明は、差込構造を有する開口部蓋と、穴明き部を有する一方の開口部内フラップと、前記穴明き部に差し込む突出部を有する他方の開口部内フラップとを具備し、前記突出部は前記穴明き部に差し込まれた後に、前記開口部内フラップの方向に折り返される包装箱であり、陵辺への負荷を軽減し変形破損を防止するという作用を有する。
【００１５】
以下、本発明の実施の形態について、図１と図２を参照して詳細に説明する。
【００１６】
（第１の実施の形態）
本発明の第１の実施の形態は、一方の開口部内フラップに穴明き部を設け、他方の開口部内フラップに、穴明き部に差し込む突出部を設けて、突出部と穴明き部の噛み合わせ構造により、強度を高めた包装箱である。
【００１７】
図１は、本発明の第１の実施の形態の包装箱の構成を示す図である。図１において、包装箱５は、一方の折り返しフラップ７に穴明き部９を有している。折り返しフラップ７の切り欠き６は、開口部突出部２を突出部差込スリット３に挿入する際の、作業性の劣化を防止するための切り欠きである。対応するもう一方の折り返しフラップ８に、突出部10を有している。
【００１８】
次に、第１の実施の形態の包装箱の機能について説明する。包装箱５の組立の際、突出部10を穴明き部９に通した後、折り返しフラップ８の方向に折り返すことにより、噛み合わせ構造を形成する。突出部10は、穴明き部９を通って折り返しフラップ７を挟むことになるので、折り返しフラップ７、８は、引っ張りと横ずれに対して強く抵抗する。包装箱の落下のより収納物が包装箱内部で移動し、包装箱内部から外部へ向かう衝撃による変形作用を、折り返しフラップ７、８で受け止める。したがって、包装箱の陵辺へ加わる負荷が小さくなり、包装箱の破損が防止される。
【００１９】
上記のように、本発明の第１の実施の形態によれば、包装箱を、差込構造を有する開口部蓋と、穴明き部を有する一方の開口部内フラップと、穴明き部に差し込む突出部を有する他方の開口部内フラップとを具備する構成としたので、落下等により収納物が包装箱内部で移動して、包装箱内部から外部への衝撃が加わった際、穴明き部と突出部の噛み合わせ構造が衝撃を吸収して変形を食い止め、陵辺への負荷を軽減する。
【００２０】
（第２の実施の形態）
本発明の第２の実施の形態は、蓋罫線側にスリット状切り欠きを施した一方の開口部内フラップと、蓋端部側にスリット状切り欠きを施した他方の開口部内フラップのスリット状切り欠きを、互いに差し込んで噛み合わせ構造を形成して、強度を高めた包装箱である。
【００２１】
図２は、本発明の第２の実施の形態の包装箱の構成を示す図である。図２において、包装箱11は、一方の折り返しフラップ12にスリット状切り欠き14を有し、もう一方の折り返しフラップ13にスリット状切り欠き14と対応したスリット状切り欠き15を有している。切り欠き６は、開口部突出部２を突出部差込スリット３に挿入する際の、作業性の劣化を防止するための切り欠きである。
【００２２】
次に、第２の実施の形態の包装箱の機能について説明する。包装箱11の組立の際、折り返しフラップ12を内側に折り、その後、折り返しフラップ13を内側に折る際に、双方のスリット状切り欠き14、15を互いに差込む。折り返しフラップ12の先端部を折り返しフラップ13の上部に重ねることにより、噛み合わせ構造を形成する。スリット状切り欠き14、15が互いに噛み合って一体となるので、折り返しフラップ12、13は、引っ張りと横ずれに対して、強く抵抗する。包装箱の落下のより収納物が包装箱内部で移動し、包装箱内部から外部へ向かう衝撃による変形作用を、折り返しフラップ12、13で受け止める。したがって、包装箱の陵辺へ加わる負荷が小さくなり、包装箱の破損が防止される。
【００２３】
上記のように、本発明の第２の実施の形態では、包装箱を、差込構造を有する開口部蓋と、蓋罫線側にスリット状切り欠きを施した一方の開口部内フラップと、スリット状切り欠きに差し込んで噛み合わせ構造をなすスリット状切り欠きを蓋端部側に施した他方の開口部内フラップとを具備する構成としたので、落下等により収納物が包装箱内部で移動して、包装箱内部から外部への衝撃が加わった際、スリット状切り欠きの噛み合わせ構造が衝撃を吸収して変形を食い止め、陵辺への負荷を軽減する。
【００２４】
【発明の効果】
上記の実施の形態から明らかなように、本発明では、包装箱を、包装箱の折り返しフラップに噛み合わせ構造を設けた構成としたので、側面に内部から衝撃が加わった場合に、包装箱の変形が最小限となり、衝撃による破損を防止できるという効果が得られる。
【図面の簡単な説明】
【図１】本発明の第１の実施の形態における包装箱の斜視図、
【図２】本発明の第２の実施の形態における包装箱の斜視図、
【図３】従来の包装箱の斜視図である。
【符号の説明】
１  従来の包装箱
２  開口部突出部
３  突出部差込スリット
４  折り返しフラップ
５  第１の実施の形態の包装箱
６  切り欠き
７  折り返しフラップ
８  折り返しフラップ
９  穴明き部
10  突出部
11  第２の実施の形態の包装箱
12  折り返しフラップ
13  折り返しフラップ
14  スリット
15  スリット
【図１】
0004131582.tif 000002
【図２】
0004131582.tif 000003
【図３】
0004131582.tif 000004